(57)【特許請求の範囲】
【請求項１】
界面活性剤〔以下、（ａ）成分という〕を０．１〜３０質量％、水を６０質量％以上、及び多価金属イオン捕捉剤〔以下、（ｂ）成分という〕を含有し、
（ａ）成分中の炭素数１６〜１８の不飽和脂肪酸アルカリ金属塩〔以下、（ａ１）成分という〕の割合が６０〜１００質量％であり、
（ａ）成分として炭素数１６〜１８の不飽和脂肪酸カリウム塩〔以下、（ａ１−１）成分という〕を含有し、
（ｂ）成分が、ニトリロ三酢酸、エチレンジアミン四酢酸、ジエチレントリアミン五酢酸、ヒドロキシエチルエチレンジアミン三酢酸、ヒドロキシエチリデンジホスホン酸、アミノトリメチレンホスホン酸、又はそれらの塩から選ばれる一種又は二種以上であり、
除去剤中の陽イオン（ただし水素イオンを除く）の総量中のカリウムイオンの割合が５０〜１００質量％であり、
ｐＨ（２５℃）が８〜１１である、
バイオフィルム除去剤。
【請求項２】
（ａ）成分を０．１〜１５質量％、水を８０質量％以上、を含有する、請求項１記載のバイオフィルム除去剤。
【請求項３】
（ａ１）成分と水の合計含有量が９５〜９９．９質量％である、請求項１記載のバイオフィルム除去剤。
【請求項４】
バイオフィルム除去剤中の（ａ１）成分の含有量が０．１〜５０質量％である、請求項１〜３何れか１項記載のバイオフィルム除去剤。
【請求項５】
バイオフィルムが黄色ブドウ球菌に由来するバイオフィルムである、請求項１〜４何れか１項記載のバイオフィルム除去剤。
【請求項６】
皮膚に形成されたバイオフィルムの除去に用いる、請求項１〜５何れか１項記載のバイオフィルム除去剤。
【請求項７】
硬質表面に形成されたバイオフィルムの除去に用いる、請求項１〜６何れか１項記載のバイオフィルム除去剤。
【請求項８】
請求項１〜７の何れか１項記載のバイオフィルム除去剤を、１０秒〜１０分、１０〜８０℃で接触させる、バイオフィルムの除去方法。
【請求項９】
タンパク質構成比率がＢＳＡ（ウシ血清アルブミン）換算で４５質量％以上のバイオフィルムに適用する、請求項８記載のバイオフィルム除去方法。
【請求項１０】
炭素数１６〜１８の不飽和脂肪酸カリウム塩を０．１〜３０質量％（混合する成分の合計量を基準として）、及び、水を６０質量％以上（混合する成分の合計量を基準として）混合する、請求項１〜７の何れか１項記載のバイオフィルム除去剤の製造方法。
【発明の詳細な説明】
【技術分野】
【０００１】
本発明は、バイオフィルム除去剤に関する。より詳細には、微生物及び微生物産生物質からなるバイオフィルムを固体表面から除去し、微生物が関与する様々な分野においてバイオフィルムに起因する危害を防止するためのバイオフィルム除去剤に関する。
【背景技術】
【０００２】
バイオフィルムは生物膜やスライムとも言われ、一般に水系で微生物が物質の表面に付着・増殖することによって微生物細胞内から多糖やタンパク質、核酸などの高分子物質を産生して構造体を形成したものを指す。バイオフィルムが形成されると、微生物を原因とする危害が発生して様々な産業分野で問題を引き起こす。例えば、食品プラントの配管内にバイオフィルムが形成されると、このバイオフィルムが剥がれ落ち、製品内への異物混入につながるだけでなく、微生物由来の毒素で食中毒の原因となる。更に、金属表面へのバイオフィルム形成は金属腐食の原因となり、設備の老朽化を促進する。
【０００３】
更に、バイオフィルムを形成した微生物集合体に対しては、水系に分散浮遊状態にある微生物に対する場合と比較して、殺菌剤・静菌剤のような微生物制御薬剤の効果が十分に出ないことも多い。例えば医療の面では近年、医療器具の狭い隙間や空孔内に微生物が残存してバイオフィルムを形成し、これを原因とする院内感染例が数多く報告されている。ヒト口腔内においては歯に形成するバイオフィルム、いわゆるデンタルプラーク（歯垢）がう蝕や歯周病の原因となることは良く知られており、これらの問題について長い間検討がなされている。
【０００４】
タンパク質は、環境の変化により分子間同士でネットワーク構造を形成し、例えばアミロイド、インクルージョンボディと呼ばれる強固な構造体、凝集体を形成することが知られている（非特許文献１、２）。バイオフィルムは一旦形成され成熟が進むと除去が非常に困難となることが知られているが、その一因はこのようなタンパク質の強固な構造体が存在することによると考えられる。
【０００５】
バイオフィルムを除去する技術としては、これまでに、微生物（特許文献１）、酵素（特許文献２、３）、カチオン性界面活性剤を含む殺菌剤（特許文献４）、次亜ハロゲン酸や過酸化水素（特許文献５）、アルキル置換カルボン酸及びブロック共重合体（特許文献６）などの薬剤を利用して、固体表面に付着したバイオフィルムの分解や除去を行う方法が提案されている。
【先行技術文献】
【特許文献】
【０００６】
【特許文献１】特開２００１−１１５２００号公報
【特許文献２】特表２００６−５０７８５０号公報
【特許文献３】特表２０１０−５１１６２３号公報
【特許文献４】特開２００７−２９７３１８号公報
【特許文献５】特開２００８−１８４５１６号公報
【特許文献６】特表２００３−５２３２７８号公報
【非特許文献】
【０００７】
【非特許文献１】長谷川ら、細胞工学、vol. 20、p. 1495-1501（2001）
【非特許文献２】M. M. Carrio et al., J. Biotech., Vol. 96, p. 3-12（2002）
【発明の概要】
【発明が解決しようとする課題】
【０００８】
既に成熟したバイオフィルムは、微生物によって産出される高分子物質でフィルム状に覆われていることから、酵素や殺菌剤などの薬剤をバイオフィルムの深部まで作用させることは難しい。とりわけ、前述のようなタンパク質の強固な構造体が形成されたバイオフィルムに関しては、上記特許文献１−６に開示される技術によっても効率的に除去することは困難であった。
【０００９】
特許文献１には微生物を徐放し、トイレ、ごみ箱や排水口などの汚れ、汚物やぬめりを分解除去することができる、据え置き型の洗浄剤を提供する事を目的として、オレイン酸ナトリウム塩を主成分とし得る石鹸素地を徐放化剤と中性の粉末からなる担体に担持した悪臭原因分解性を有する微生物を混練し、成型してなる洗浄剤が開示されている。しかし微生物の反応効率が悪く、劇的な効果が見られないこと、また製剤化するまでに微生物の混練、成型という過程を経るため生産性が悪いという欠点がある。オレイン酸ナトリウム塩を多量に含むとクラフト点が高くなり剤が水に溶解せず、効率的にバイオフィルムに接触することが困難であるため劇的な効果が見られない欠点がある。
【００１０】
また、特許文献２、３に開示されている酵素を利用する従来技術に関しては、酵素活性が温度に大きく依存することから、十分な効果を発揮するには厳密な温度調整を要するという制限があった。特許文献４に開示される殺菌剤、特許文献５に開示される次亜ハロゲン酸や過酸化水素は、バイオフィルムの効率的な除去は困難であった。また特許文献６に開示されているアルキル置換カルボン酸（即ち３，５，５−トリメチルヘキサン酸）も、バイオフィルムについては効率的な除去はできなかった。
【００１１】
本発明の課題は、固体表面等に形成されたバイオフィルム、中でも、従来技術において特に除去が困難であった、タンパク質構成比率がＢＳＡ（ウシ血清アルブミン）換算で４５質量％以上のバイオフィルムを効率的に除去し得るバイオフィルム除去剤を提供することにある。
【課題を解決するための手段】
【００１２】
本出願人は、上記課題につき鋭意検討した結果、特定の不飽和脂肪酸塩が、固体表面等に形成された、タンパク質構成比率がＢＳＡ（ウシ血清アルブミン）換算で４５質量％以上のバイオフィルムに対し、優れた除去効果を発現することを見出し、本発明を完成するに至った。
【００１３】
即ち、本発明は、
界面活性剤〔以下、（ａ）成分という〕を０．１〜５０質量％、及び、水を５０〜９９．９質量％含有し、
（ａ）成分中の炭素数１６〜１８の不飽和脂肪酸アルカリ金属塩〔以下、（ａ１）成分という〕の割合が６０〜１００質量％であり、
（ａ）成分として炭素数１６〜１８の不飽和脂肪酸カリウム塩〔以下、（ａ１−１）成分という〕を含有し、
除去剤中の陽イオン（ただし水素イオンを除く）の総量中のカリウムイオンの割合が５０〜１００質量％である、
バイオフィルム除去剤を提供する。
【００１４】
また、本発明は、上記本発明のバイオフィルム除去剤を、タンパク質構成比率がＢＳＡ（ウシ血清アルブミン）換算で４５質量％以上のバイオフィルムに適用する、バイオフィルム除去方法を提供する。
【００１５】
また、本発明は、炭素数１６〜１８の不飽和脂肪酸カリウム塩を０．１〜５０質量％（混合する成分の合計量を基準として）、及び、水を５０〜９９．９質量％（混合する成分の合計量を基準として）混合する、上記本発明のバイオフィルム除去剤の製造方法を提供する。
【発明の効果】
【００１６】
本発明のバイオフィルム除去剤は、固体表面等に形成されたバイオフィルム、なかでもタンパク質構成比率がＢＳＡ（ウシ血清アルブミン）換算で４５質量％以上のバイオフィルムを効率的に除去することができる。
【発明を実施するための形態】
【００１７】
［バイオフィルム除去剤］
本発明のバイオフィルム除去剤は、界面活性剤〔（ａ）成分〕を含有する。（ａ）成分は、炭素数８〜２４の炭化水素基を有するものが好ましい。
【００１８】
（ａ）成分としては、陰イオン界面活性剤、陽イオン界面活性剤、非イオン界面活性剤、及び、両性界面活性剤が挙げられる。
【００１９】
陰イオン界面活性剤としては、脂肪酸塩、アルキル硫酸塩、アルキルエーテル硫酸塩、ポリオキシアルキレンアルキルエーテル硫酸塩、アルキルスルホン酸塩、アルキルアミドスルホン酸塩、アルキルアリールスルホン酸塩、アルキルベンゼンスルホン酸塩、オレフィンスルホン酸塩、パラフィンスルホン酸塩、アルキルスルホコハク酸塩、アルキルエーテルスルホコハク酸塩、ポリオキシアルキレンアルキルエーテルカルボン酸塩、アルキルアミドスルホコハク酸塩、アルキルサクシンアミド塩、アルキルスルホ酢酸塩、アシルサルコシン塩、アシルイセチオン酸塩、アルケニルコハク酸塩、アルキルエーテル酢酸塩、ポリオキシアルキレンアルキルエーテル酢酸塩；アルキルリン酸塩、アルキルエーテルリン酸塩、ポリオキシアルキレンアルキルエーテルリン酸塩等のリン酸塩；Ｎ−アシルタウリン塩、Ｎ−アシルアラニン塩、Ｎ−アシルグルタミン酸塩、Ｎ−アシルアスパラギン酸塩等のアシル化アミノ酸塩等が挙げられる。
【００２０】
脂肪酸塩は、炭素数８〜２２の脂肪酸塩が挙げられる。具体的には、カプリル酸、ペラルゴン酸、カプリン酸、ラウリン酸、ミリスチン酸、ペンタデシル酸、パルミチン酸、マルガリン酸、ステアリン酸、ツベルクロステアリン酸、アラキジン酸、ベヘン酸等の飽和脂肪酸の塩、また、リノレン酸、ステアリドン酸、エイコサペンタエン酸、ドコサヘキサエン酸、リノール酸、ジホモ-γ-リノレン酸、アラキドン酸、オレイン酸、エライジン酸、エルカ酸、ネルボン酸等の不飽和脂肪酸の塩が挙げられる。また、イソステアリン酸や３，５，５−トリメチルヘキサン酸等の分岐構造の脂肪酸の塩が挙げられる。塩は、アルカリ金属塩、アンモニウム塩、アルカノールアンモニウム塩、塩基性アミノ酸塩等が挙げられ、ナトリウム塩、カリウム塩等のアルカリ金属塩が好ましい。
【００２１】
本発明のバイオフィルム除去剤は、（ａ）成分として（ａ１）炭素数１６〜１８の不飽和脂肪酸アルカリ金属塩〔（ａ１）成分〕を含有し、更に、（ａ１−１）成分として炭素数１６〜１８の不飽和脂肪酸カリウム塩を含有する。（ａ１）成分としては、不飽和結合を１つ以上含む炭素数１５〜１７の炭化水素基を１つ有する不飽和脂肪酸塩、及び、不飽和結合を１つ以上含み１つ以上のヒドロキシ基で置換された炭素数１５〜１７の炭化水素基を１つ有する不飽和脂肪酸塩から選ばれる不飽和脂肪酸塩が挙げられる。（ａ１）成分としては式（１）で表される構造を有する不飽和脂肪酸塩が好ましい。
【００２２】
Ｒ−ＣＯＯ- Ｍ+        （１）
〔式中、Ｒは不飽和結合を１つ以上含む炭素数１５〜１７の炭化水素基又は不飽和結合を１つ以上含み１つ以上のヒドロキシ基で置換された炭素数１５〜１７の炭化水素基を示す。Ｍ+はアルカリ金属イオンを示す。〕
【００２３】
式（１）において、Ｒの炭化水素基としては、不飽和結合を１つ以上含む炭素数１５〜１７の炭化水素基又は不飽和結合を１つ以上含み１つ以上のヒドロキシ基で置換された炭素数１５〜１７の炭化水素基である。Ｒの炭化水素基としては、バイオフィルム除去効果の点から、炭素数１５〜１７であり、炭素数１７が好ましい。Ｒの炭化水素基はその水素原子がヒドロキシ基で置換されていてもよい。ヒドロキシ基が置換される場合は、ヒドロキシ基の数は１であることが好ましい。Ｒの炭化水素基は、直鎖でも分岐鎖でもよい。Ｍ+のアルカリ金属イオンとしては、ナトリウムイオン、カリウムイオンが好ましく、カリウムイオンがより好ましい。
【００２４】
（ａ１）成分は、バイオフィルム除去効果の観点から、不飽和結合を１〜３（例えばリノレン酸）有するものが好ましく、１〜２有するものがより好ましい。（ａ１）成分の酸化劣化に対する安定性の観点から、（ａ１）成分は、不飽和結合を１つ有するものが更に好ましい。式（１）中のＲも同様である。
【００２５】
（ａ１）成分の好適な例としては、バイオフィルム除去効果の観点から、オレイン酸、パルミトレイン酸、リノール酸、リノレン酸、及び、リシノール酸から選ばれる不飽和脂肪酸のアルカリ金属塩が挙げられる。中でも、オレイン酸、パルミトレイン酸、及び、リノール酸から選ばれる不飽和脂肪酸のアルカリ金属塩、更にナトリウム塩、カリウム塩が高いバイオフィルム除去性能を示すため好ましい。工業的利用性の観点からオレイン酸アルカリ金属塩、更にオレイン酸カリウム塩が好ましい。（ａ１）成分のうち、カリウム塩は（ａ１−１）成分である。（ａ１−１）成分としては、オレイン酸カリウム塩、リシノール酸カリウム塩、パルミトレイン酸カリウム塩、リノール酸カリウム塩が挙げられる。
【００２６】
（ａ）成分の界面活性剤中、更には炭素数８〜２２の脂肪酸塩中の（ａ１）成分の割合は、バイオフィルム除去効果の観点から、６０〜１００質量％であり、好ましくは７５〜１００質量％、より好ましくは８５〜１００質量％、更に好ましくは９５〜１００質量％であり、１００質量％であることも好ましい。よって、本発明のバイオフィルム除去剤では、バイオフィルム除去効果の観点から、（ａ１）成分以外の界面活性剤、中でも炭素数８〜２２の脂肪酸塩であって（ａ１）成分に該当しないものの含有量が、（ａ１）成分１００質量部に対して６７質量部を超えない、更に３４質量部を超えない、更に１８質量部を超えない、更に６質量部を超えないことが好ましい。
【００２７】
本発明のバイオフィルム除去剤において、バイオフィルム除去効果を高める観点から、除去剤中の陽イオン（ただし水素イオンを除く）の総量（以下、全陽イオンという場合もある）中のカリウムイオンの割合は５０〜１００質量％である。好ましくは７０〜１００質量％であり、より好ましくは８０〜１００質量％であり、さらに好ましくは９０〜１００質量％である。ここで、除去剤中の陽イオンの量及びカリウムイオンの量は、除去剤中に遊離状態で存在するイオン及び結合状態で存在するイオンの総量に基づくものであり、配合原料から計算できる場合はその値を採用してもよい。また、配合後の除去剤について、一般法であるフレーム測光法、原子吸光分析、イオンクロマトグラフィー、イオン選択電極を用いた方法などにより測定することもできる。
【００２８】
本発明のバイオフィルム除去剤は、全陽イオン中のカリウムイオンの割合が上記範囲を満たす範囲で、種々の無機塩を含有することができる。無機塩としては、塩化ナトリウム、塩化カリウム、塩化カルシウム、塩化アルミニウム、硫酸ナトリウム、硫酸カリウム、硫酸バリウムなどが挙げられる。その中でも（ａ１）成分を水溶液中から析出させない、すなわちクラフト点を上昇させにくいカリウム塩、ナトリウム塩など一価の金属塩が好ましい。
【００２９】
本発明における無機塩の含有量は、バイオフィルム除去性の観点から、除去剤中、０〜１０質量％であることが好ましく、０〜５質量％であることがより好ましく、実質無機塩を含まないことがさらに好ましい。
【００３０】
本発明のバイオフィルム除去剤は、水を含有する。本発明のバイオフィルム除去剤における水の含有量はバイオフィルム除去効果の観点から、５０〜９９．９質量％である。本発明のバイオフィルム除去剤における水の含有量は、好ましくは６０質量％以上であり、より好ましくは７０質量％以上であり、さらに、７５質量％以上が好ましく８０質量％以上であることが好ましい。本発明のバイオフィルム除去剤は、（ａ）成分と水とを含有する液体の形態（例えば液体組成物）である。
【００３１】
本発明のバイオフィルム除去剤中の（ａ）成分の含有量は０．１〜５０質量％である。０．３〜３０質量％が好ましく、０．３〜１５質量％がより好ましく、０．７〜４質量％が更に好ましい。本発明のバイオフィルム除去剤中の炭素数８〜２２の脂肪酸塩の含有量は、０．１〜５０質量％が好ましく、０．３〜３０質量％がより好ましく、０．３〜１５質量％が更に好ましく、０．７〜４質量％がより更に好ましい。本発明のバイオフィルム除去剤中の（ａ１）成分の含有量は、０．１〜５０質量％が好ましく、０．３〜３０質量％がより好ましく、０．３〜１５質量％が更に好ましく、０．７〜４質量％がより更に好ましい。本発明のバイオフィルム除去剤中の（ａ１−１）成分の含有量は、０．１〜５０質量％が好ましく、０．３〜３０質量％がより好ましく、０．３〜１５質量％が更に好ましく、０．７〜４質量％がより更に好ましい。本発明のバイオフィルム除去剤は、（ａ１）成分と水の合計含有量が９５〜１００質量％、更に９８〜９９．９質量％であることが好ましい。
【００３２】
本発明のバイオフィルム除去剤のｐＨ（２５℃）は、バイオフィルム除去効果の点から、６〜１２．５の範囲が好ましく、７〜１２の範囲がより好ましく、７．５〜１１．５の範囲が更に好ましく、８〜１１の範囲が特に好ましい。ここで、バイオフィルム除去剤のｐＨ（２５℃）は、HORIBA pH Meter F-21（（株）堀場製作所製）を用いて原液を測定した値である。
【００３３】
本発明のバイオフィルム除去剤は、カルシウムや鉄などの多価金属イオンを捕捉しバイオフィルム除去効果を更に高める観点から、多価金属イオン捕捉剤〔以下、（ｂ）成分という〕を含有することが好ましい。
【００３４】
多価金属イオン捕捉剤の好適な具体例としては、ニトリロ三酢酸（ＮＴＡ）、エチレンジアミン四酢酸（ＥＤＴＡ）、ジエチレントリアミン五酢酸（ＤＰＴＡ）、ヒドロキシエチルエチレンジアミン三酢酸（ＨＥＤＴＡ）、ヒドロキシエチリデンジホスホン酸（ＨＥＤＰ）、アミノトリメチレンホスホン酸（ＡＴＭＰ）、又はそれらの塩などが挙げられる。中でも、ＥＤＴＡ又はその塩が、（ａ）成分との併用において高いバイオフィルム除去効果をもたらすため好ましい。またＥＤＴＡの塩としてはナトリウム塩、カリウム塩などが挙げられるが、カリウム塩がより好ましい。
【００３５】
これら多価金属イオン捕捉剤を使用する場合、その含有量は捕捉対象である多価金属イオン濃度に応じて適宜変更し得るが、本発明のバイオフィルム除去剤中、０．０５〜２．５質量％が好ましい。
【００３６】
また、これら多価金属イオン捕捉剤を使用する場合、バイオフィルム除去性の観点から、（ｂ）成分と（ａ）成分の含有量の質量比（ｂ）／（ａ）は０．０５〜０．３が好ましい。
【００３７】
本発明のバイオフィルム除去剤は、バイオフィルムへ作用させる場面においては、通常、水溶液、水分散剤液等の液体の形態で用いられる。その場合、本発明のバイオフィルム除去剤は、そのまま、或いは、水、有機溶剤で希釈して、用いることができる。
【００３８】
本発明のバイオフィルム除去剤中の水溶性有機溶剤の含有量は０〜１５質量％であることが好ましい。本発明における水溶性有機溶剤の炭素数は４〜１０である。水溶性有機溶剤としては、１，３−ブチレングリコール、ジプロピレングリコール、イソプレングリコール、エチルジグリコールが挙げられる。
【００３９】
本発明のバイオフィルム除去剤中の水溶性有機溶剤の含有量は、バイオフィルム除去性の観点から、０〜１０質量％であることが好ましく、０〜５質量％であることがより好ましく、０〜３質量％であることが更に好ましい。本発明のバイオフィルム除去剤は有機溶剤を含まないことが好ましい。
【００４０】
本発明のバイオフィルム除去剤は、炭素数１６〜１８の不飽和脂肪酸カリウム塩を０．１〜５０質量％（混合する成分の合計量を基準として）、及び、水を５０〜９９．９質量％（混合する成分の合計量を基準として）混合することで製造できる。必要に応じて（ｂ）成分などの任意成分を混合することができる。これにより、炭素数１６〜１８の不飽和脂肪酸カリウム塩を０．１〜５０質量％（配合する成分の合計量を基準として）、及び、水を５０〜９９．９質量％（配合する成分の合計量を基準として）配合してなる本発明のバイオフィルム除去剤を得ることができる。
【００４１】
［バイオフィルム除去方法］
本発明のバイオフィルム除去剤は、タンパク質構成比率がＢＳＡ（ウシ血清アルブミン）換算で４５質量％以上のバイオフィルムの除去に好適に用いられる。本発明のバイオフィルム除去剤を用いてバイオフィルムを除去する方法としては、バイオフィルム、例えば、固体表面に形成されたバイオフィルムに、本発明のバイオフィルム除去剤を、浸漬、塗布あるいは散布等により、接触させる方法が挙げられる。例えば、（ａ）成分を好ましくは０．３〜３０質量％、より好ましくは０．３〜１５質量％、更に好ましくは０．７〜４質量％、及び残部の水を含有する本発明のバイオフィルム除去剤を、バイオフィルムと接触させる方法が挙げられる。このとき、更に、スポンジ、タオル、ブラシ、水流などの物理力を加えてもよい。バイオフィルム除去剤を接触させておく時間は、付着しているバイオフィルムの量、バイオフィルム除去剤の濃度、接触時の温度、物理力の有無により異なるが、通常は数秒から数時間の範囲であり、作業性も考慮すると、好ましくは１０秒以上、より好ましくは１０秒〜１時間であり、更に好ましくは１０秒〜３０分、特に好ましくは１０秒〜１０分である。接触処理後は、剥離、溶解などにより固体表面から除去されたバイオフィルムを、流水などにより速やかにすすぎ流すことが望ましい。また、バイオフィルム除去剤を接触させておく温度は、厳密に制御する必要はないが、０〜１００℃の範囲にあることが好ましく、１０〜８０℃の範囲にあることがより好ましく、２０〜５０℃が更に好ましい。
【００４２】
本発明のバイオフィルム除去剤が除去対象とする好適なバイオフィルムは、固体表面等に形成された、タンパク質構成比率がＢＳＡ（ウシ血清アルブミン）換算で４５質量％以上のバイオフィルムである。ここで、固体表面としては、ステンレスなどの金属表面（例えば、配水管など）、ポリスチレンやテフロン（登録商標）などの合成高分子表面、皮膚などのタンパク質を含む天然物由来の高分子表面などが挙げられる。すなわち、本発明の除去剤は、皮膚に形成されたバイオフィルムの除去に用いることができる。また、本発明の除去剤は、硬質表面に形成されたバイオフィルムの除去に用いることができる。
【００４３】
背景技術欄にて述べた通り、バイオフィルムは、微生物が固体表面に付着し増殖する過程において、微生物細胞内から多糖やタンパク質、核酸などの高分子物質を産生して構造体を形成したものである。一般的に微生物の種類、また同じ微生物でも由来や微生物が置かれた固体表面状態を含む環境によって形成されるバイオフィルムの組成が異なることが知られているが、本出願人は、固体表面に付着し増殖する微生物の種類によって、形成されるバイオフィルムの高分子物質組成が大きく異なり、バイオフィルムを形成する組成によって従来開発されてきたバイオフィルム除去剤や各種界面活性剤のバイオフィルム除去性に大きく影響していることを見出した。微生物が形成するバイオフィルムの組成について、下記表１に示す通り、黄色ブドウ球菌（NBRC13276）はタンパク質（７０．６質量％；ＢＳＡ換算）の極めて多いバイオフィルムを形成することを確認した（実験方法の詳細は＜バイオフィルム構成比率の測定方法＞欄に記載）。
【００４４】
【表１】
0005912678.tif 000002
【００４５】
本発明のバイオフィルム除去剤は、タンパク質構成比率がＢＳＡ（ウシ血清アルブミン）換算で４５質量％以上のバイオフィルム（例えば、アシネトバクター由来のバイオフィルム）に対して優れた除去効果を発現する。予期せぬことに、本発明のバイオフィルム除去剤は、従来のバイオフィルム除去剤では除去が非常に困難であった、タンパク質構成比率がＢＳＡ（ウシ血清アルブミン）換算で５０質量％以上にも達するバイオフィルム（例えば、黄色ブドウ球菌由来のバイオフィルム）に対して、より一層高い除去効果を奏することを確認した（実施例参照）。すなわち、本発明のバイオフィルム除去剤は、黄色ブドウ球菌の生成するバイオフィルムに対して特に高い除去性能を示す。
【００４６】
＜バイオフィルム構成比率の測定方法＞
人体に有害、ないしは美観の面から不良である原因菌として知られている黄色ブドウ球菌（NBRC13276）を選択し、これに由来するバイオフィルムについて、そのタンパク質、多糖、核酸の比率を以下の方法で測定した。
黄色ブドウ球菌はTSB No.2液体培地（シグマ社製）で、37℃、20時間培養した。各種菌の培養液を滅菌生理食塩水で100倍に希釈後、黄色ブドウ球菌はTSB No.2寒天培地に、10枚塗抹し、それぞれ、37℃で48時間培養した。140 mM NaCl、10 mM EDTAを含むpH 7.5の水溶液（A液と略す）を各寒天培地上に5 ml添加し、菌層部をコンラージ棒で掻きとる操作を各プレートに対し2回実施し、菌液を回収した。回収した菌液を30分間攪拌し、8000 rpm、20 min 15℃で遠心分離した。上澄みを回収し、0.2 μmのメンブレンフィルター（Nalgene filtration product社）でろ過した。一方、菌層にA液100 mlを加え、同様に攪拌し、液を遠沈管に集め、1分間ボルテックス（Scientific Industry社、G-560）にて攪拌を行い、遠心分離、ろ過する操作を3回行った。ろ液を集め、透析セルロースチューブに封入し、5Lのイオン交換水下で48時間（2回イオン交換水を交換）透析し、低分子化合物を除いた。
回収した液体をLowry法（測定キットはナカライテスク社製）で測定し、測定キットの指示に従い、ウシ血清アルブミンによる検量線からタンパク質濃度を定量し、タンパク質由来のバイオフィルム量とした。また回収した液体をフェノール硫酸法によって、マンノースによる検量線から多糖類濃度を定量し、多糖類由来のバイオフィルム量とした（参考文献：Hodge,J.E. and Hofreiter,B.T.1962. Methods in Carbohydrate Chemistry vol.1,pp.380-394）。さらに、回収した液体について260nmの吸収極大を測定して核酸の存在を確認後、透析分の固形分からタンパク質量と多糖類量を引いて核酸量とし、核酸由来のバイオフィルム量とした。
【実施例】
【００４７】
実施例１〜１３及び比較例１〜２２
表２、３に示す成分を用い、実施例１〜１３及び比較例１〜１７、１９〜２２は＜バイオフィルム除去剤の調製１＞の方法により、また、比較例１８は＜バイオフィルム除去剤の調製２＞の方法により、表２、３に示す組成のバイオフィルム除去剤を調製した。得られたバイオフィルム除去剤のバイオフィルム除去性能を下記要領で評価した。結果を表２、３に示す。
【００４８】
＜バイオフィルム除去剤の調製１＞
１００ｍｌのガラスビーカーに、スターラーピース（直径８ｍｍ×３０ｍｍ、増田理化工業製）を挿入し、さらにバイオフィルム除去剤の出来上がり質量が１００ｇとなるように、表２、３に示す質量比率にて、全ての成分を投入した。ウォーターバスにて８０℃まで昇温し、１００ｒｐｍで３０分間撹拌した。水溶液の外観が均一になったことを確認し、室温（２５℃）まで冷却した。
【００４９】
＜バイオフィルム除去剤の調製２＞
１００ｍｌのガラスビーカーに、スターラーピース（直径８ｍｍ×３０ｍｍ、増田理化工業製）を挿入し、さらにバイオフィルム除去剤の出来上がり質量が１００ｇとなるように、表３に示す質量比率にて、全ての成分を投入した。室温（２５℃）下、１００ｒｐｍで５分間撹拌し、混合物の外観が均一になったことを確認した。
【００５０】
＜バイオフィルム除去性能の評価＞
黄色ブドウ球菌（NBRC13276）１株を、２５ｍｌのTBS No.2培地（シグマ社製）で３７℃、２２時間振盪培養した（得られた液を「菌液」とよぶ）。波長６００ｎｍの光により菌液の濁度を測定し（濁度計  HITACHI社製  U-2800）、濁度が０．１となるようにTBS No.2培地で菌液を希釈した（得られた液を「希釈した菌液」と呼ぶ）後、底面が平面である滅菌９６ウェルプレート（ファルコン社製）の各ウェルに希釈した菌液を０．１５ｍｌ添加して、３７℃、２４時間あるいは４８時間静置培養した。また、ポジティブコントロールとして、同じプレートの異なるウェルに菌を含まないTSB No.2培地を０．１５ｍｌ加えたサンプルも調製した。上澄みを廃棄後、各ウェルに０．２ｍｌの滅菌イオン交換水（以下、滅菌水という）を添加し、上澄みを廃棄する操作（以下、washという）を３回行った。次いで、各ウェルに０．２ｍｌの滅菌水を添加し、表２、３に示す各バイオフィルム除去剤を添加する直前まで保持した。
上澄みの廃棄直後、特に記載がない限り、室温（２５℃）で保存した表２、３に示す各バイオフィルム除去剤を各ウェルに添加し、室温（２５℃）で1分放置した。なお室温以外のサンプルに関しては、サンプルを各温度のインキュベーターにあらかじめ１晩保存し、上澄みの廃棄直後、サンプルの温度が変化しないようすばやく各ウェルに添加した。
その後上澄みを廃棄し、2回washした。また、バイオフィルム除去剤の代わりに滅菌水を用いて同様の操作を行ったものをネガティブコントロールとし、ポジティブコントロールは滅菌水で同様の操作を実施した。
その後、各ウェルに、クリスタルバイオレット（和光純薬工業（株）製）の０．１％水溶液０．２ｍｌを添加し、室温で１０分放置した。滅菌水で１回washした後、９５％エタノール溶液（シグマ社製）０．２ｍｌを各ウェルに添加し、４℃で一晩放置した。次いで、各ウェルに関し、５７０ｎｍの吸光度を測定した。得られた吸光度値を下記の式に代入し、バイオフィルム除去率を算出した。
なお、上記全ての工程は無菌状態にて実施した。
【００５１】
バイオフィルム除去率（％）＝１００×［（Ａｎ−Ａｐ）−（Ａｓ−Ａｐ）］／（Ａｎ−Ａｐ）
式中、
Ａｓ：サンプル吸光度
Ａｎ：ネガティブコントロール吸光度
Ａｐ：ポジティブコントロール吸光度
【００５２】
【表２】
0005912678.tif 000003
【００５３】
【表３】
0005912678.tif 000004
【００５４】
以下に、表中で用いた化合物について示す。
・オレイン酸Ｋ塩：オレイン酸カリウム（試薬）
・オレイン酸Ｎａ塩：オレイン酸（ルナックＯ−ＬＬ−Ｖ、花王株式会社製）をＮａＯＨ（試薬）により完全中和して用いた
・リシノール酸Ｎａ塩：リシノール酸（試薬）をＮａＯＨにより完全中和して用いた
・パルミトレイン酸Ｋ塩：パルミトレイン酸（試薬）をＫＯＨにより完全中和して用いた
・リノール酸Ｋ塩：リノール酸（試薬）のＫＯＨによる完全中和物
・モノオレイン酸ポリオキシエチレンソルビタン（２０ＥＯ）：レオドール  ＴＷ−Ｏ１２０Ｖ  花王株式会社製
・トリオレイン酸ポリオキシエチレンソルビタン（２０ＥＯ）：レオドール  ＴＷ−Ｏ３２０Ｖ  花王株式会社製
・ポリオキシエチレンオレイルエーテル（８ＥＯ）：エマルゲン  ４０８  花王株式会社製
・カプリル酸Ｎａ塩：カプリル酸ナトリウム（試薬）
・３，５，５−トリメチルヘキサン酸Ｋ塩：３，５，５−トリメチルヘキサン酸カリウム（試薬）を０．５Ｍ−ＫＯＨにより中和して用いた
・カプリン酸Ｎａ塩：カプリン酸ナトリウム（試薬）
・ミリスチン酸Ｋ塩：ミリスチン酸カリウム（試薬）
・パルミチン酸Ｎａ塩：パルミチン酸ナトリウム（試薬）
・ステアリン酸Ｎａ塩：ステアリン酸ナトリウム（試薬）
・エルカ酸Ｋ塩：エルカ酸をＫＯＨにより完全中和したもの
・ヤシ油脂肪酸アルギニン塩：アミノソープＡＲ−１２  味の素株式会社製〔ヤシ油脂肪酸組成はメーカーから開示されていない。ただし、一般にヤシ油脂肪酸中の（ａ１）成分含有量は数質量％程度であり（例えば、「新版  脂肪酸化学」［稲葉恵一、平野二郎編著、幸書房  昭和５６年９月５日発行］によれば、オレイン酸含有量は５質量％）、明らかに本発明の（ａ１）成分（不飽和脂肪酸アルカリ金属塩）の含有量は０質量％である。そのため、表中では、これを用いた比較例９は、（ａ）成分中の（ａ１）成分の割合を「０質量％」と示した。〕
・ラウリン酸ＴＥＡ塩：ラウリン酸（試薬）とトリエタノールアミン（試薬）により製造
・ラウレス−６酢酸Ｎａ塩：カオーアキポ  ＲＬＭ−４５ＮＶ  花王株式会社製
・エチレンジアミン四酢酸四Ｎａ塩：試薬
・塩化カルシウム：試薬
・αアミラーゼ：ノボザイムズ社製、ターマミル１２０Ｌ
・塩化ベンザルコニウム：試薬（下記構造を有する）
【００５５】
【化１】
0005912678.tif 000005
【００５６】
以下に本発明のバイオフィルム除去剤の具体的な使用態様を示す。
＜処方例：洗浄剤組成物＞
オレイン酸カリウム塩：３質量％
１，３−ブチレングリコール（１，３−ブチレングリコール−Ｐ（協和発酵ケミカル株式会社））：１０質量％
水：８７質量％
を含有する洗浄剤組成物を調製した。
実施例１等と同様の方法にて黄色ブドウ球菌のバイオフィルムを調製し、バイオフィルム除去率を測定した。バイオフィルム除去率は７１．５％であった。